(57)【特許請求の範囲】
【請求項１】
自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部の正面側にシリンダー錠を取り付けて、該シリンダー錠のホルダー部内に臨む端部にロック片を一体に設け、防御体の内部にロックシャフトを設けて、自動販売機の正面からのキー操作で、ロック片を回動させることにより、該ロック片をロックシャフトに対して係脱させることを特徴とする自動販売機の盗難防止装置。
【請求項２】
自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部内にロックシャフトを設け、防御体の正面側上部にシリンダー錠を取り付け、防御体の下部にロック片を回動可能に軸支して、防御体を基体のホルダー部内に差し入れる過程のロックシャフトの作用で、ロック片を回動させるか、或いは、自動販売機の正面からのキー操作で、ロック片を回動させることにより、該ロック片をロックシャフトに対して係脱させることを特徴とする自動販売機の盗難防止装置。
【請求項３】
自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部内にロックシャフトを設け、防御体の正面側にシリンダー錠を取り付け、該シリンダー錠の端部にロック片を一体に設けて、自動販売機の正面からのキー操作で、ロック片を回動させることにより、該ロック片をロックシャフトに対して係脱させることを特徴とする自動販売機の盗難防止装置。
【発明の詳細な説明】
【０００１】
【発明の属する技術分野】
本発明は、各種自動販売機の盗難防止装置の改良に関するものである。
【０００２】
【従来の技術】
従来のこの種盗難防止装置として、登録実用新案第３０１８６６４号公報に示すものが存する。
該従来の盗難防止装置は、具体的には図示しないが、全体が板金製で、自動販売機の底板に固定される基体と、自動販売機の扉と対面する防御体の２部品から成り、前者の基体は、上面が開放されて内部に上記防御体の下部を受け入れる矩形状のホルダー部と、自動販売機の底板下面に当接してボルト・ナットで固定されるベース部を有し、該ベース部にロック片をスライド可能に配設して、当該ロック片の先端部を常時付勢ばね圧で上記ホルダー部の内側へ弾性付勢すると共に、ベース部とホルダー部の境に南京錠の掛け金を立設する構成となっている。
【０００３】
又、後者の防御体は、縦長の矩形状を呈し、その背面側に上記ロック片の先端部の進入を許容するロック孔を穿設すると共に、上記掛け金と共働して南京錠を取り付ける掛け金を設ける構成となっている。
【０００４】
そして、実際の使用に際しては、自動販売機の扉を開放して、自動販売機の底板の所定個所に貫通孔を穿設し、この貫通孔を利用して、基体のベース部を自動販売機の底板下面にボルト・ナットを介して固定した後、再度、扉を閉塞して、自動販売機自身が備える錠手段で施錠し、次いで、Ｌ字状を呈する操作棒をベース部方向に押し込んで、ホルダー部の内側に進入しているロック片の先端部を付勢ばね圧に抗して後退させながら、防御体の下部をホルダー部内に差し込んで、操作棒によるロック片の後退操作を解けば、ロック片の先端部が再び上記ロック孔から防御体の内側に進入して、防御体を基体のホルダー部にロックする。
【０００５】
そこで、後は、基体側の掛け金と防御体側の掛け金とに南京錠を取り付けて施錠すれば、この南京錠と上記したロック片による二重ロック状態の下で、防御体は基体のホルダー部にロックされて、自動販売機の扉と対面することとなるので、例え、自動販売機自体が備える錠手段が破壊されて、扉が無理に抉じ開けられようとしても、防御体の存在により、扉の抉じ開けが阻止されるので、これにより、自動販売機中の金銭や商品が盗難に遭うことを防止できる。
【０００６】
【発明が解決しようとする課題】
然し乍ら、従来の盗難防止装置にあっては、既述した如く、単に、基体のベース部を自動販売機の底板下面にボルト・ナットで固定する構成を採用している関係で、当該ボルト・ナットとホルダー部の距離にかなりの隔たりがあると、防御体を上から足で蹴り付けるだけでも、基体のベース部が容易に折れ曲がって、防御体と扉との対面関係が維持できなくなってしまうので、実際問題としては、十分な盗難防止対策とはなっていない。
この為、基体や防御体の板厚を厚くすることも考えられるが、今度は、これに起因して、装置全体が徒に大型化してしまうので、自動販売機の大きさ・設置環境等によっては、使用上の制限を受けたり、コストが徒に高騰してしまう恐れが生じる。
【０００７】
又、スライド式のロック片を使用することは、防御体をホルダー部に差し入れる場合でも、商品の補充等で、防御体をホルダー部から引き抜く場合でも、その都度、当該ロック片を操作棒を用いて盲作業で付勢ばね圧に抗して後退させなければならないので、操作性も決して良いとは言えなかった。
その上、基体のベース部を自動販売機の底板下面に固定することは、上記折れ曲がりの問題に加えて、ベース部側の取付孔と底板側の貫通孔との位置合わせも大変となる嫌いもあった。
【０００８】
【課題を解決するための手段】
本発明は、斯る従来の盗難防止装置が抱える課題を有効に解決するために開発されたもので、請求項１記載の発明は、自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部の正面側にシリンダー錠を取り付けて、該シリンダー錠のホルダー部内に臨む端部にロック片を一体に設け、防御体の内部にロックシャフトを設けて、自動販売機の正面からのキー操作で、ロック片を回動させることにより、該ロック片をロックシャフトに対して係脱させる構成を採用した。
請求項２記載の発明は、自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部内にロックシャフトを設け、防御体の正面側上部にシリンダー錠を取り付け、防御体の下部にロック片を回動可能に軸支して、防御体を基体のホルダー部内に差し入れる過程のロックシャフトの作用で、ロック片を回動させるか、或いは、自動販売機の正面からのキー操作で、ロック片を回動させることにより、該ロック片をロックシャフトに対して係脱させる構成を採用した。
請求項３記載の発明は、自動販売機の底板に固定される基体と、自動販売機の扉と対面する防御体と、基体に対して上下動可能に支承されて自動販売機の底板下面に当接する挾持体とから成り、基体は、上面が開放されて内部に防御体を受け入れるホルダー部と、該ホルダー部から延びて自動販売機の底板上面に当接するベース部を有し、該ベース部と上記挾持体とで自動販売機の底板をその板厚に応じて上下方向から挾持して、当該ベース部と挾持体とを自動販売機の底板に固定すると共に、基体のホルダー部内にロックシャフトを設け、防御体の正面側にシリンダー錠を取り付け、該シリンダー錠の端部にロック片を一体に設けて、自動販売機の正面からのキー操作で、ロック片を回動させることにより、該ロック片をロックシャフトに対して係脱させる構成を採用した。
【０００９】
依って、本発明の下では、基体のベース部と挾持体による上下方向からの挾持状態を得て、基体が自動販売機の底板にその板厚に応じて強固に固定されることとなるので、例え、防御体を足で蹴り付けたり、バール等で大きな力を加えたとしても、基体自体が折り曲がることが決してないので、盗難に際しても、防御体と扉との対面関係を維持して、扉の無理な抉じ明けを確実に阻止できる。
その上、ロック片のロックシャフトに対する係脱は、専ら、装置の正面側からのキー操作で行なえるので、操作性も頗る向上する。
【００１０】
【発明の実施の形態】
以下、本発明を図示する各好適な実施の形態に基づいて詳述する。
ます、第一実施の形態に係る盗難防止装置は、図１に示す如く、いずれも板金製で、自動販売機の底板に固定される基体１と、自動販売機の扉と対面する防御体２と、基体１に移動可能に支承されて自動販売機の底板下面に当接する挾持体３の３部品から成り、基体１は、上面が開放されて内部に防御体２の下部を受け入れる矩形状のホルダー部４と、該ホルダー部４の開放口から後方に一体に延びる板状のベース部５を有する。
【００１１】
そして、前者のホルダー部４に対しては、その正面側に一対のシリンダー錠６Ａ・６Ｂを取り付けて、図２にも示す如く、一方のシリンダー錠６Ａのホルダー部４内に臨む端部に、後述する防御体２のロックシャフトと係脱する係入溝７ａを有するフック状のロック片７を設けると共に、他方のシリンダー錠６Ｂのホルダー部４内の臨む端部に、上記ロック片７のロックシャフトに対する係合解除方向への回動を規制する二叉状のストッパー片８を設け、且つ、一方のシリンダー錠６Ａ側にロック片７の係入溝７ａ内に入り込むＬ字状の押え片９を設ける構成となっている。
これに加えて、ホルダー部４の背面両側に挾持体３を移動可能に支承するためのボルト１６を挿通する対の挿通孔１０を穿設するものとする。
【００１２】
又、後者のベース部５に対しては、上記ホルダー部４の底壁４ａを画成する折曲形状を積極的に付与すると共に、その延長端部側に後述する挾持体３のナット部と対応する２個の取付孔１１を穿設するものとする。
【００１３】
防御体２は、基体１のホルダー部４内に受け入れられる大きさの縦長ボックス状を呈し、その正面側に上記一対のシリンダー錠６Ａ・６Ｂとの干渉を回避する切欠部１２を設けると共に、内部の上記ロック片７と対応する個所にロックシャフト１３を設ける構成となっている。
【００１４】
挾持体３は、高剛性が発揮できる屈曲したチャンネル状を呈し、その正面側の上記ホルダー部４の挿通孔１０と対応する個所に対のガイド長孔１４を穿設すると共に、ベース部５の各取付孔１１と対応する個所に２個のナット部１５を設ける構成となっている。従って、基体１のホルダー部４の挿通孔１０から挾持体３のガイド長孔１４内にボルト１６を挿通して、当該ボルト１６の先端部を若干緩めにナット１７で締め付ければ、ガイド長孔１４の寸法分だけ、挾持体３は基体１に対して上下動可能に支承されることとなる。
【００１５】
依って、斯る第一実施の形態に係る盗難防止装置にあっては、自動販売機Ｓの扉Ｄを開放して、ベース部５の取付孔１１・挾持体３のナット部１５と対応する貫通孔１８を自動販売機Ｓの底板Ｐに穿設し、基体１のベース部５を当該底板Ｐの上面側に位置させ、挾持体３を底板Ｐの下面側に位置させながら、該挾持体３をそのガイド長孔１４を利用して、底板Ｐの板厚に応じて上下動させた後、ベース部５の各取付孔１１からボルト１９を差し込むと、該ボルト１９は底板Ｐの貫通孔１８を通過して挾持体３のナット部１５と螺合するので、後は、ボルト１９を完全に締め付けるだけで、図３に示す如く、基体１が自動販売機Ｓの底板Ｐ側に簡単に固定される。
【００１６】
尚、第一実施の形態にあっては、ベース部５を底板Ｐの上面側に位置させる関係で、当該ベース部５側の取付孔１１と底板Ｐ側の貫通孔１８との位置合わせが簡単に行なえると同時に、挾持体３側のナット部１５と底板Ｐ側の貫通孔１８とが自動的に合致することとなるので、従来のものと比較すると、基体１の底板Ｐに対する固定作業も至って簡略化されることとなる。
【００１７】
そこで、再度、扉Ｄを閉塞して、扉Ｄを自動販売機Ｓ自体が備える錠手段で施錠し、各シリンダー錠６Ａ・６Ｂの解錠方向への回転を得て、図１に示す状態に、ロック片７とストッパー片８とを倒して、ホルダー部４内に防御体２の下部を差し込んで、最初に、一方のシリンダー錠６Ａをキー（図示せず）操作で施錠方向へ回転すれば、図４に示す如く、ロック片７が連動して同一方向に回動して、防御体２側のロックシャフト１３に係合するので、次に、他方のシリンダー錠６Ｂを同じくキー（図示せず）操作で施錠方向へ回転すれば、図５に示す如く、ストッパー片８が連動して同一方向に回動して、今度は、ロックシャフト１３に係合しているロック片７にその二叉形状を利用して当接する。
【００１８】
即ち、第一実施の形態の下では、ロック片７のロックシャフト１３に対する係合とストッパー片８のロック片７に対する当接とによる二重ロック状態の下で、防御体２が基体１のホルダー部４に確実にロックされることとなるので、一対のシリンダー錠６Ａ・６Ｂが同時に破壊されない限り、防御体２がホルダー部４から引き抜かれる心配は全くない。しかも、一対のシリンダー錠６Ａ・６Ｂを短時間に破壊することは事実上不可能である。
【００１９】
その上、ロック片７のロックシャフト１３に対する係合状態にあっては、図示する如く、押え片９の先端部がロック片７の係入溝７ａ内に入り込むこととなるので、これによっても、ロックシャフト１３がロック片７の係入溝７ａから抜け外れることが防止できると共に、防御体２に対する引き抜き力からのホルダー部４の変形をも併せて防止できる。
【００２０】
従って、第一実施の形態にあっても、最終的には、図６に示す如く、基体１のホルダー部４にロックされた防御体２が、自動販売機Ｓの扉Ｄと接近して対面することとなるので、例え、自動販売機Ｓ自体の錠手段が破壊されて、扉Ｄが無理に抉じ開けられようとしても、防御体２の存在により、扉Ｄの抉じ開けが阻止される。
しかし、第一実施の形態の下では、図３に示す如く、基体１のベース部５と挾持体３による上下方向からの挾持状態を得て、基体１が自動販売機Ｓの底板Ｐに固定される関係で、例え、防御体２を足で蹴り付けたり、バール等で大きな力を加えたとしても、基体１自体が折り曲がることが決してないので、常に、防御体２と扉Ｄとの対面関係が維持できることとなる。
【００２１】
又、自動販売機Ｓに商品を補充する場合等には、今度は、前記とは逆に、最初に、他方のシリンダー錠６Ｂをキー操作で解錠方向へ回転させると、ストッパー片８が連動して同一方向へ回動して、ロック片７から離れるので、次に、一方のシリンダー錠６Ａをキー操作で解錠方向へ回転させると、ロック片７が連動して同一方向へ回動して、ロックシャフト１３との係合を解くので、後は、防御体２を基体１のホルダー部４から引き抜けば、通常の扉Ｄの開閉が可能となる。
尚、第一実施の形態にあっては、安全性を追及した結果、２個のシリンダー錠６Ａ・６Ｂを併用したものであるが、他方のシリンダー錠６Ｂを省略することも可能である。
【００２２】
次に、第二実施の形態に係る盗難防止装置を説明すると、当該第二実施の形態のものは、上記第一実施の形態とは異なり、図７・図８に示す如く、基体１のホルダー部４側にロックシャフト１３を設け、防御体２側に当該ロックシャフト１３と係脱するロック片７を設ける構成となしたものである。尚、挾持体３を含めたその他の構造に関しては、第一実施の形態のものを踏襲しているので、ここでは、その詳細な説明は省略する。
【００２３】
そこで、特に、防御体２側の構造を具体的に説明すると、その背面側を開放して、上部側に１個のシリンダー錠６Ｃを取り付けて、該シリンダー錠６Ｃの端部に押圧片２０を設け、下部側にロック片７と作動片２１とを回動可能に軸支したケース２２をブラケット２３を介して固定すると共に、上記ロックシャフト１３との干渉を回避する同様な切欠部１２を設ける構成となっている。
【００２４】
尚、上記ロック片７と作動片２１の関係は、図８から明らかなように、引張コイルばね２４によって連結されて、通常の状態では、図示する如く、作動片２１の凸部２１ａとロック片７の凹部７ｂとの係止状態が解かれて、ロック片７が上記引張コイルばね２４のばね圧でケース２２の差込口２２ａから後退しているが、ロックシャフト１３が差込口２２ａ内に差し込まれると、ロックシャフト１３の差し込み力で、上記引張コイルばね２４のばね圧に抗して差込口２２ａ方向へ回動して、ロックシャフト１３と自動的に係合すると同時に、作動片２１の凸部２１ａとロック片７の凹部７ｂとが係止して、ロック片７がその位置に拘束される構成となっている。
【００２５】
依って、第二実施の形態の下では、基体１のベース部５と挾持体３の上下方向からの挾持状態を得て、自動販売機Ｓの底板Ｐに固定されている基体１のホルダー部４内に防御体２の下部を差し込むだけで、図９に示す如く、ロック片７がホルダー部４内のロックシャフト１３に自動的に係合するので、第一実施の形態のものと比較すると、防御体２のホルダー部４に対するロックが極めて簡単となる利点を有する訳であるが、最終的には、やはり、防御体２が自動販売機Ｓの扉Ｄと対面することとなるので、例え、自動販売機Ｓ自体の錠手段が破壊されて、扉Ｄが無理に抉じ開けられようとしても、防御体２の存在により、扉Ｄの抉じ開けが確実に阻止される。
【００２６】
又、自動販売機Ｓに商品を補充する場合等には、今度は、シリンダー錠６Ｃをキー（図示せず）操作で解錠方向へ回転させると、当該シリンダー錠６Ｃの端部に設けられている押圧片２０が連動して同一方向へ回動して、ケース２２から上方に突出する作動片２１の上端部を押圧して、作動片２１の凸部２１ａをロック片７の凹部７ｂから外すので、ロック片７が再びケース２２の差込口２２ａから後退して、ロックシャフト１３との係合を解く。
従って、後は、第一実施の形態と同様に、防御体２を基体１のホルダー部４から引き抜けば、通常の扉Ｄの開閉が可能となる。
【００２７】
最後に、第三実施の形態に係る盗難防止装置を説明すると、当該第三実施の形態のものは、第二実施の形態に改変を加えたもので、特徴とするところは、図１０に示す如く、防御体２の上部側に取り付けられた１個のシリンダー錠６Ｃの端部に、第１係入溝２５ａと第２係入溝２５ｂを有する短冊状のロック片２５を直に設ける一方、防御体２側に上記第２係入溝２５ｂに係合する補助ロックシャフト２６を設ける構成となしたものである。
従って、この第三実施の形態にあっては、第二実施の形態におけるロック片７や作動片２１を軸支したケース２２等が省略されることとなるが、その他の構造については、第二実施の形態を踏襲することとなる。
【００２８】
依って、第三実施の形態の下では、シリンダー錠６Ｃをキー（図示せず）操作で解錠方向へ回転して、上記ロック片２５を同一方向へ回動した状態を得て、防御体２の下部を基体１のホルダー部４内に差し込んで、シリンダー錠６Ｃを施錠方向へ回転すると、図１１に示す如く、ロック片２５の第１係入溝２５ａがホルダー部４側のロックシャフト１３と係合すると同時に、同第２係入溝２５ｂが防御体２側の補助ロックシャフト２６と係合して、やはり、二重ロック状態をもって、防御体２をホルダー部４側にロックすることとなる。
【００２９】
しかも、第三実施の形態にあっては、ロック片２５がロックシャフト１３と補助ロックシャフト２６に係合する上に、その各係入溝２５ａ・２５ｂの端末部が、図示する如く、下方に若干折れ曲がっているので、例え、防御体２に無理な引き抜き力が加わったとしても、防御体２がホルダー部４から引き抜かれる心配がない。
【００３０】
又、自動販売機Ｓに商品を補充する場合等には、今度は、シリンダー錠６Ｃをキー（図示せず）操作で解錠方向へ回転させると、当該シリンダー錠６Ｃの端部に設けられているロック片２５が連動して同一方向へ回動して、ロックシャフト１３と補助ロックシャフト２６との係合を同時に解くので、後は、各実施の形態と同様に、防御体２を基体１のホルダー部４から引き抜けば、通常の扉Ｄの開閉が可能となる。
尚、第三実施の形態では、補助ロックシャフト２６を防御体２側に設けたものであるが、ロックシャフト１３と一緒に、基体１のホルダー部４側に設けることも実施に応じ任意である。且つ、補助ロックシャフト２６を付属部品を介して交換可能に設けることも可能である。
【００３１】
【発明の効果】
以上の如く、本発明は、上記構成の採用により、基体のベース部と挾持体による上下方向からの挾持状態を得て、基体が自動販売機の底板にその板厚に応じて強固に固定されることとなるので、例え、防御体を足で蹴り付けたり、バール等で大きな力を加えたとしても、基体自体が折り曲がることが決してないので、盗難に際しても、防御体と扉との対面関係を維持して、扉の無理な抉じ明けを阻止できる。
その上、ロック片のロックシャフトに対する係脱は、装置の正面側からのキー操作で行なえるので、操作性も頗る向上する。
【図面の簡単な説明】
【図１】本発明の第一実施の形態に係る盗難防止装置を一部切欠して示す分解斜視図である。
【図２】図１のＡ−Ａ線断面図である。
【図３】基体を自動販売機の底板に固定した状態を示す要部説明図である。
【図４】ロック片をロックシャフトに係合した状態を示す要部縦断面図である。
【図５】（Ａ）はストッパー片をロック片に当接した状態を示す要部縦断面図、（Ｂ）は同要部横断面図である。
【図６】第一実施の形態に係る盗難防止装置を自動販売機に設置した状態を示す外観図である。
【図７】第二実施の形態に係る盗難防止装置を一部切欠して示す分解斜視図である。
【図８】防御体側の構造を示す背面図である。
【図９】ロック片をロックシャフトに係合した状態を示す要部縦断面図である。
【図１０】第三実施の形態に係る盗難防止装置に使用される防御体のみを一部切欠して示す正面図である。
【図１１】ロック片をロックシャフトと補助ロックシャフトに係合して、自動販売機に設置した状態を示す要部縦断面図である。
【符号の説明】
１    基体
２    防御体
３    挾持体
４    ホルダー部
５    ベース部
６Ａ  シリンダー錠
６Ｂ  シリンダー錠
６Ｃ  シリンダー錠
７    ロック片
８    ストッパー片
１１  取付孔
１３  ロックシャフト
１４  ガイド長孔
１５  ナット部
１９  ボルト
２５  ロック片
２６  補助ロックシャフト
Ｓ    自動販売機
Ｄ    自動販売機の扉
Ｐ    自動販売機の底板
【図１】
0003961623.tif 000002
【図２】
0003961623.tif 000003
【図３】
0003961623.tif 000004
【図４】
0003961623.tif 000005
【図５】
0003961623.tif 000006
【図６】
0003961623.tif 000007
【図７】
0003961623.tif 000008
【図８】
0003961623.tif 000009
【図９】
0003961623.tif 000010
【図１０】
0003961623.tif 000011
【図１１】
0003961623.tif 000012